(57)【要約】    【課題】居室親機を経由して転送されてくる玄関子機からの居室呼び出しに電話機にて応答し通話を成立させるにあたり、玄関子機の映像撮像部にて撮像される映像を居室親機の映像出画部にて確認するとともに、ハウリングの発生を防止する。    【解決手段】玄関子機１からの居室呼び出しを居室親機２及び当該居室親機を経由して電話機３にそれぞれ報知し、当該居室呼び出しに応答して通話を成立させるにあたり、電話機による応答があった場合には、居室親機を経由して電話機の電話機通話部３００、３０１、３０２及び玄関子機の子機通話部１０２、１０３間の通話路が形成される一方、居室親機の親機通話部２０１、２０２及び玄関子機の子機通話部間の通話路は遮断されるとともに、玄関子機の映像撮像部１０１にて撮像された映像の居室親機の映像出画部２００における出画動作が保持される。  【選択図】図１
2009081795.tif 000002
【特許請求の範囲】
【請求項１】
住戸外に設置され来訪者が居室呼び出しを行い通話を成立させるための子機通話部（１０２、１０３）及び前記来訪者の映像を撮像するための映像撮像部（１０１）を有する玄関子機（１）と、住戸内に設置され前記玄関子機からの前記居室呼び出しに応答して通話を成立させるための親機通話部（２０１、２０２）及び前記玄関子機の前記映像撮像部にて撮像された映像を出画するための映像出画部（２００）を有する居室親機（２）と、前記玄関子機からの前記居室呼び出しが前記居室親機を経由して転送され当該居室呼び出しに応答して通話を成立させるための電話機通話部（３００、３０１、３０２）を有する電話機（３）とを設け、
前記居室親機には、前記電話機による応答を検出するための電話機応答検出回路（２０５）と、前記親機通話部及び前記玄関子機の前記子機通話部間の通話路、或いは前記居室親機を経由して前記電話機の前記電話機通話部及び前記玄関子機の前記子機通話部間の通話路を形成するための通話路形成回路（２０７）と、前記電話機による応答が前記電話応機答検出回路にて検出されたとき前記通話路形成回路を制御し、当該居室親機を経由して前記電話機の前記電話機通話部及び前記玄関子機の前記子機通話部間の通話路を形成するとともに、前記映像出画部における前記映像の出画動作を保持するためのＣＰＵ（２０８）とを備えたことを特徴とするインターホンシステム。
【請求項２】
前記居室親機の前記ＣＰＵは、前記電話機による応答が前記電話機応答検出回路にて検出されたとき前記親機通話部及び前記玄関子機の前記子機通話部間の通話路を遮断する機能を有することを特徴とする請求項１記載のインターホンシステム。
【発明の詳細な説明】
【技術分野】
【０００１】
本発明はインターホンシステムに係り、特に、玄関子機からの居室呼び出しを居室親機又は当該居室親機に接続された電話機にて応答し、通話を成立させることができるインターホンシステムに関する。
【背景技術】
【０００２】
従来から、この種のインターホンシステムとして、ドアホン子機からの呼び出しをインターホン親機及び増設インターホン親機にてそれぞれ報知し、インターホン親機及び増設インターホン親機のうち最先に応答した当該親機とドアホン子機との間で通話を成立させることができるインターホンシステムが開示されている（例えば、特許文献１を参照。）。
【０００３】
【特許文献１】特開２００７−６０４９９号公報
【発明の開示】
【発明が解決しようとする課題】
【０００４】
しかしながら、背景技術の記載した特許文献１のインターホンシステムによれば、ドアホン子機からの呼び出しにインターホン親機にて応答すると、増設インターホン親機の増設親機スピーカからの呼出音（音声メッセージを含む。）の出力が停止されるとともに、増設モニタ及び増設復調回路がそれぞれ非能動となり、当該増設インターホン親機は待受状態に復旧される。これにより、インターホン親機にて応答した人物にとっては、ドアホン子機のカメラにて撮像された映像を増設インターホン親機の増設モニタにて確認することができず、利便性が低下していた。
【０００５】
本発明は、この難点を解消するためのもので、居室親機を経由して転送されてくる玄関子機からの居室呼び出しに電話機にて応答し通話を成立させるにあたり、玄関子機の映像撮像部にて撮像される映像を居室親機の映像出画部にて確認するとともに、ハウリングの発生を防止したインターホンシステムを提供することを目的としている。
【課題を解決するための手段】
【０００６】
前述の目的を達成するため、本発明の第１の態様であるインターホンシステムは、住戸外に設置され来訪者が居室呼び出しを行い通話を成立させるための子機通話部及び来訪者の映像を撮像するための映像撮像部を有する玄関子機と、住戸内に設置され玄関子機からの居室呼び出しに応答して通話を成立させるための親機通話部及び玄関子機の映像撮像部にて撮像された映像を出画するための映像出画部を有する居室親機と、玄関子機からの居室呼び出しが居室親機を経由して転送され当該居室呼び出しに応答して通話を成立させるための電話機通話部を有する電話機を設けたものである。居室親機には、電話機による応答を検出するための電話機応答検出回路と、親機通話部及び玄関子機の子機通話部間の通話路、或いは居室親機を経由して電話機の電話機通話部及び玄関子機の子機通話部間の通話路を形成するための通話路形成回路と、電話機による応答が電話機応答検出回路にて検出されたとき通話路形成回路を制御し、当該居室親機を経由して電話機の電話機通話部及び玄関子機の子機通話部間の通話路を形成するとともに、映像出画部における映像の出画動作を保持するためのＣＰＵとを備えている。
【０００７】
このインターホンシステムによれば、玄関子機からの居室呼び出しを居室親機及び当該居室親機を経由して電話機にそれぞれ報知し、当該居室呼び出しに応答して通話を成立させるにあたり、電話機による応答があった場合には、居室親機を経由して電話機の電話機通話部及び玄関子機の子機通話部間の通話路が形成されるとともに、玄関子機の映像撮像部にて撮像された映像の居室親機の映像出画部における出画動作が保持される。
【０００８】
また、本発明の第２の態様であるインターホンシステムは、本発明の第１の態様において、居室親機のＣＰＵは、電話機による応答が電話機応答検出回路にて検出されたとき親機通話部及び玄関子機の子機通話部間の通話路を遮断する機能を有している。
【０００９】
このインターホンシステムによれば、玄関子機からの居室呼び出しを居室親機及び当該居室親機を経由して電話機にそれぞれ報知し、当該居室呼び出しに応答して通話を成立させるにあたり、電話機による応答があった場合には、居室親機を経由して電話機の電話機通話部及び玄関子機の子機通話部間の通話路が形成される一方、居室親機の親機通話部及び玄関子機の子機通話部間の通話路は遮断されるため、ハウリングの発生を防止することができる。
【発明の効果】
【００１０】
本発明のインターホンシステムによれば、玄関子機からの居室呼び出しに応答して通話を成立させることができる電話機であれば、玄関子機の映像撮像部にて撮像された映像を出画する機能が備えられていない場合であっても、居室親機の映像出画部に出画される映像を容易に確認することができ、電話機にて応答した人物、例えば、居住者の利便性が高められる。また、玄関子機からの居室呼び出しに電話機にて応答し、通話を成立させるにあたっては、居室親機の親機通話部における音声帰還がなく、ハウリングの発生を防止できる。
【発明を実施するための最良の形態】
【００１１】
次に、本発明のインターホンシステムを適用した最良の実施の形態例について、図面を参照して説明する。図１（ａ）は、本発明の実施例によるインターホンシステムの全体（外観）構成を示すシステム説明図である。
【００１２】
図１（ａ）に示すインターホンシステムには、住戸外に設置され来訪者が住戸内に在室中の居住者を呼び出し（居室呼び出し）、通話を成立させるとともに、来訪者の映像や住戸外の映像（監視映像）を撮像するための玄関子機１と、住戸内に設置され子機／親機ラインＬ1を経由して接続された玄関子機１からの居室呼び出しが報知され、当該居室呼び出しに応答した居住者が来訪者との間で通話を成立させるための居室親機２と、親機／電話機ラインＬ2を経由して居室親機２に接続され、玄関子機１からの居室呼び出しが子機／親機ラインＬ1、居室親機２、親機／電話機ラインＬ2を経由して転送報知され、当該居室呼び出しに応答した居住者が来訪者との間で通話を成立させるための電話機３とが設けられており、居室親機２には、電話回線等の公衆回線網４を接続することができる。
【００１３】
玄関子機１は、呼出ボタン１００と、映像撮像部を構成するカメラ１０１と、子機通話部を構成する子機マイク１０２及び子機スピーカ１０３とを有している。この玄関子機１において、呼出ボタン１００は、来訪者が居室呼び出しを行うために操作するものである。また、カメラ１０１は、来訪者の映像や住戸外の周囲近傍の映像（監視映像）を撮像するためのものであり、例えば、ＣＣＤ、ＣＭＯＳ等の各種の撮像素子媒体が好適とされる。さらに、子機マイク１０２及び子機スピーカ１０３は、来訪者が居室親機２又は電話機３にて応答操作を行った居住者との間で通話を成立させるための音声（送話音声、受話音声）を入出力するものである。
【００１４】
居室親機２は、映像出画部を構成するモニタ２００と、親機通話部を構成する親機マイク２０１及び親機スピーカ２０２と、親機操作部２０３とを有している。この居室親機２において、モニタ２００は、玄関子機１のカメラ１０１にて撮像された映像を出画するためのものであり、例えば、ＬＣＤ、ＰＤＰ、有機ＥＬディスプレイ等の各種の出画表示媒体が好適とされ、当該モニタは、前述の映像出画機能の他に、来訪者からの居室呼び出しがある旨の呼出メッセージや絵データ等を表示する呼出報知機能を有している。また、親機マイク２０１及び親機スピーカ２０２は、居室親機２を使用する居住者が来訪者との間で通話を成立させるための音声（送話音声、受話音声）を入出力するものであり、当該親機スピーカは、前述の通話機能の他に、来訪者からの居室呼び出しがある旨の呼出音や音声メッセージ等を出力する呼出報知機能を有している。さらに、親機操作部２０３は、来訪者からの居室呼び出しを確認した居室親機２を使用する居住者が応答し、親機マイク２０１及び親機スピーカ２０２の使用により通話を成立させる、又は成立中の通話を終了させるための応答／終話操作等を行うものであり、例えば、通話ボタンやモニタ２００の前面に配置されたタッチパネル等が好適とされる。
【００１５】
電話機３は、電話機通話部を構成する電話機マイク３００、電話機スピーカ３０１及びハンドセット３０２と、電話機操作部３０３とを有している。この電話機３において、電話機マイク３００及び電話機スピーカ３０１は、電話機３を使用する居住者が来訪者との間で拡声（ハンズフリー）通話を成立させるための音声（送話音声、受話音声）を入出力するものであり、当該電話機スピーカは、前述の通話機能の他に、来訪者からの居室呼び出しがある旨の呼出音や音声メッセージ等を出力する呼出報知機能を有している。また、ハンドセット３０２は、前述の電話機マイク３００及び電話機スピーカ３０１とともに電話機通話部を構成し、電話機３を使用する居住者が来訪者との間でハンドセット通話を成立させるための音声（送話音声、受話音声）を入出力するものである。さらに、電話機操作部３０３は、来訪者からの居室呼び出しを確認した電話機３を使用する居住者が応答し、電話機マイク３００及び電話機スピーカ３０１の使用により通話を成立させる、又は成立中の通話を終了させるための応答／終話操作や、公衆回線網４を経由して外線呼び出しを行い拡声（ハンズフリー）通話又はハンドセット通話を成立させる呼出操作や、公衆回線網４を経由した外線呼び出しに応答して拡声（ハンズフリー）通話又はハンドセット通話を成立させる応答操作等を行うものであり、例えば、通話ボタン、外線呼出ボタン及びテンキーボタン等の各種のキーボタンが好適とされる。
【００１６】
図１（ｂ）は、本発明の実施例によるインターホンシステムにおいて、居室親機２の具体的な構成をブロック図である。この居室親機２には、前述のモニタ２００、親機マイク２０１、親機スピーカ２０２及び親機操作部２０３と、子機呼出検出回路２０４と、電話機応答検出回路２０５と、映像処理回路２０６と、通話路形成回路２０７と、ＣＰＵ２０８と、子機側親機Ｉ／Ｆ（インターフェース）２０９と、電話機側親機Ｉ／Ｆ２１０と、公衆回線網側親機Ｉ／Ｆ２１１とが備えられている。
【００１７】
図１（ｂ）に示す居室親機２において、子機呼出検出回路２０４は、来訪者による玄関子機１からの居室呼び出しを検出し、その旨の呼出検出信号を生成してＣＰＵ２０８に送出するためのものである。また、電話機応答検出回路２０５は、電話機３による応答を検出し、その旨の応答検出信号を生成してＣＰＵ２０８に送出するためのものである。
【００１８】
映像処理回路２０６は、ＣＰＵ２０８により制御され、玄関子機１のカメラ１０１にて撮像された映像であり、子機／親機ラインＬ1、子機側親機Ｉ／Ｆ２０９を経由して伝送されてくる電気信号の映像信号を信号処理する例えば、ＦＭ復調、増幅等を行い、モニタ２００に出画させるためのものである。
【００１９】
通話路形成回路２０７は、ＣＰＵ２０８により制御され、親機マイク２０１及び親機スピーカ２０２と当該通話路形成回路、子機側親機Ｉ／Ｆ２０９、子機／親機ラインＬ1を経由して図１（ａ）に示す玄関子機１の子機マイク１０２及び子機スピーカ１０３との間の通話路、電話機３の電話機マイク３００及び電話機スピーカ３０１と親機／電話機ラインＬ2、電話機側親機Ｉ／Ｆ２１０、当該通話路形成回路、子機側親機Ｉ／Ｆ２０９、子機／親機ラインＬ1を経由して図１（ａ）に示す玄関子機１の子機マイク１０２及び子機スピーカ１０３との間の通話路、電話機３のハンドセット３０２と親機／電話機ラインＬ2、電話機側親機Ｉ／Ｆ２１０、当該通話路形成回路、子機側親機Ｉ／Ｆ２０９、子機／親機ラインＬ1を経由して図１（ａ）に示す玄関子機１の子機マイク１０２及び子機スピーカ１０３との間の通話路のうち、何れか１の通話路を形成するためのものである。
【００２０】
ＣＰＵ２０８は、居室親機２の構成各部／回路を制御するためのものである。具体的な制御の一例として、ＣＰＵ２０８は、電話機３による応答が電話機応答検出回路２０５にて検出されたとき、通話路形成回路２０７を制御し、電話機３の電話機マイク３００及び電話機スピーカ３０１と親機／電話機ラインＬ2、電話機側親機Ｉ／Ｆ２１０、当該通話路形成回路、子機側親機Ｉ／Ｆ２０９、子機／親機ラインＬ1を経由して図１（ａ）に示す玄関子機１の子機マイク１０２及び子機スピーカ１０３との間の通話路、或いは、電話機３のハンドセット３０２と親機／電話機ラインＬ2、電話機側親機Ｉ／Ｆ２１０、当該通話路形成回路、子機側親機Ｉ／Ｆ２０９、子機／親機ラインＬ1を経由して図１（ａ）に示す玄関子機１の子機マイク１０２及び子機スピーカ１０３との間の通話路を形成する一方、親機マイク２０１及び親機スピーカ２０２と当該通話路形成回路、子機側親機Ｉ／Ｆ２０９、子機／親機ラインＬ1を経由して図１（ａ）に示す玄関子機１の子機マイク１０２及び子機スピーカ１０３との間の通話路は遮断するとともに、モニタ２００及び映像処理回路２０６への制御を継続させ、玄関子機１のカメラ１０１にて撮像された映像のモニタ２００における出画動作を保持することができる。
【００２１】
子機側親機Ｉ／Ｆ２０９は、子機／親機ラインＬ1から子機呼出検出回路２０４への信号伝送路と、子機／親機ラインＬ1から映像処理回路２０６への信号伝送路と、通話路形成回路２０７及び子機／親機ラインＬ1の間の信号伝送路（通話路）と、ＣＰＵ２０８から子機／親機ラインＬ1への信号伝送路とをそれぞれ形成するためのものである。また、電話機側親機Ｉ／Ｆ２１０は、親機／電話機ラインＬ2から電話機応答検出回路２０５への信号伝送路と、通話路形成回路２０７及び親機／電話機ラインＬ2の間の信号伝送路（通話路）と、ＣＰＵ２０８及び親機／電話機ラインＬ2の間の信号伝送路とをそれぞれ形成するためのものである。さらに、公衆回線網側親機Ｉ／Ｆ２１１は、ＣＰＵ２０８及び公衆回線網４の間の信号伝送路を形成するためのものである。
【００２２】
このように構成された本発明の実施例によるインターホンシステムにおいて、以下、具体的な動作について説明する。
【００２３】
図１（ａ）に示す玄関子機１の呼出ボタン１００を使用して来訪者が呼出操作を行うと、子機／親機ラインＬ1、図１（ｂ）に示す居室親機２の子機側親機Ｉ／Ｆ２０９を経由して子機呼出検出回路２０４に呼出信号が伝送される。この呼出信号が受信された子機呼出検出回路２０４は、来訪者による玄関子機１からの居室呼び出しがあることを検出し、その旨の呼出検出信号を生成してＣＰＵ２０８に送出する。
【００２４】
図１（ｂ）に示す居室親機２において、呼出検出回路２０４からの呼出検出信号を受信したＣＰＵ２０８は、来訪者による玄関子機１からの居室呼び出しがある旨の呼出音や音声メッセージ等を親機スピーカ２０２から出力させるとともに、モニタ２００及び映像処理回路２０６がそれぞれ能動となるように制御し、来訪者による玄関子機１からの居室呼び出しがある旨の呼出メッセージや絵データ等をモニタ２００に表示させることにより、呼出報知を行うことができる。また、ＣＰＵ２０８は、来訪者による玄関子機１からの居室呼び出しがあることを電話機３に転送報知するための呼出転送信号を生成する。この呼出転送信号は、ＣＰＵ２０８から電話機側親機Ｉ／Ｆ２１０、親機／電話機ラインＬ2を経由して図１（ａ）に示す電話機３に伝送される。
【００２５】
図１（ａ）に示す電話機３は、居室親機２のＣＰＵ２０８から伝送されてきた呼出転送信号を受信すると、来訪者による玄関子機１からの居室呼び出しがある旨の呼出音や音声メッセージ等を電話機スピーカ３０１から出力させることにより、呼出報知を行うことができる。
【００２６】
次に、前述の呼出報知を確認した居住者は、来訪者との間で通話を成立させるにあたって、図１（ａ）、（ｂ）に示す居室親機２の親機操作部２０３の使用による応答操作、図１（ａ）に示す電話機３の電話機操作部３０３の使用による応答操作、図１（ａ）に示す電話機３のハンドセット３０２を取り上げる応答操作のうち、何れか１の応答操作を行うことができる。
【００２７】
ここで、居住者による第１の応答操作として、図１（ａ）、（ｂ）に示す居室親機２の親機操作部２０３にて応答操作が行われると、この操作を検出したＣＰＵ２０８は、通話路形成回路２０７を制御し、第１の応答操作を行った居住者が使用する親機マイク２０１及び親機スピーカ２０２と、当該通話路形成回路、子機側親機Ｉ／Ｆ２０９、子機／親機ラインＬ1を経由して来訪者が使用する玄関子機１の子機マイク１０２及び子機スピーカ１０３との間の通話路を形成させることにより、形成された通話路を経由して音声信号を送受信させることで通話が成立する。このとき、通話路形成回路２０７は、子機側親機Ｉ／Ｆ２０９及び電話機側親機Ｉ／Ｆ２１０の間の通話路を遮断しているため、来訪者の音声（送話音声）である音声信号が電話機３に伝送されることはない。
【００２８】
また、図１（ｂ）に示す居室親機２において、居住者による第１の応答操作を検出したＣＰＵ２０８は、モニタ２００及び映像処理回路２０６がそれぞれ能動となる制御を保持することにより、第１の応答操作を行った居住者にとっては、モニタ２００に出画されている映像を確認しながら来訪者との通話を成立させることができる。
【００２９】
次に、居住者による第２の応答操作として、図１（ａ）に示す電話機３の電話機操作部３０３にて応答操作が行われると、第２の応答操作を行った居住者が使用する電話機マイク３００及び電話機スピーカ３０１と親機／電話機ラインＬ2との間の通話路が形成されるとともに、電話機３にて生成された電話機応答信号が、親機／電話機ラインＬ2、図１（ｂ）に示す居室親機２の電話機側親機Ｉ／Ｆ２１０を経由して電話機応答検出回路２０５に伝送される。この電話機応答信号が受信された電話機応答検出回路２０５は、居住者による電話機３からの応答があったことを検出し、その旨の応答検出信号を生成してＣＰＵ２０８に送出する。
【００３０】
図１（ｂ）に示す居室親機２において、電話機呼出検出回路２０５からの応答検出信号を受信したＣＰＵ２０８は、通話路形成回路２０７を制御し、第２の応答操作を行った居住者が使用する図１（ａ）に示す電話機３の電話機マイク３００及び電話機スピーカ３０１と、親機／電話機ラインＬ2、電話機側親機Ｉ／Ｆ２１０、当該通話路形成回路、子機側親機Ｉ／Ｆ２０９、子機／親機ラインＬ1を経由して来訪者が使用する玄関子機１の子機マイク１０２及び子機スピーカ１０３との間の通話路を形成させることにより、形成された通話路を経由して音声信号を送受信させることで通話が成立する。このとき、通話路形成回路２０７は、子機側親機Ｉ／Ｆ２０９と親機マイク２０１及び親機スピーカ２０２との間の通話路を遮断しているため、来訪者の音声（送話音声）である音声信号が親機スピーカ２０２から親機マイク２０１に音声帰還されるようなハウリングの発生を防止できる。
【００３１】
また、図１（ｂ）に示す居室親機２において、居住者による第２の応答操作を検出したＣＰＵ２０８は、モニタ２００及び映像処理回路２０６がそれぞれ能動となる制御を保持することにより、第２の応答操作を行った居住者にとっては、映像出画機能が備えられていない電話機３を使用して通話を成立させる場合であっても、モニタ２００に出画されている映像を確認しながら来訪者との通話を成立させることができ、利便性が高められる。
【００３２】
次に、居住者による第３の応答操作として、図１（ａ）に示す電話機３のハンドセット３０２を取り上げる応答操作が行われると、第３の応答操作を行った居住者が使用するハンドセット３０２（のマイク及びレシーバ）と親機／電話機ラインＬ2との間の通話路が形成されるとともに、電話機３にて生成された電話機応答信号が、親機／電話機ラインＬ2、図１（ｂ）に示す居室親機２の電話機側親機Ｉ／Ｆ２１０を経由して電話機応答検出回路２０５に伝送される。この電話機応答信号が受信された電話機応答検出回路２０５は、前述の第２の応答操作時と同様、居住者による電話機３からの応答があったことを検出し、その旨の応答検出信号を生成してＣＰＵ２０８に送出する。
【００３３】
図１（ｂ）に示す居室親機２において、電話機呼出検出回路２０５からの応答検出信号を受信したＣＰＵ２０８は、通話路形成回路２０７を制御し、第３の応答操作を行った居住者が使用する図１（ａ）に示す電話機３のハンドセット３０２（のマイク及びレシーバ）と、親機／電話機ラインＬ2、電話機側親機Ｉ／Ｆ２１０、当該通話路形成回路、子機側親機Ｉ／Ｆ２０９、子機／親機ラインＬ1を経由して来訪者が使用する玄関子機１の子機マイク１０２及び子機スピーカ１０３との間の通話路を形成させることにより、形成された通話路を経由して音声信号を送受信させることで通話が成立する。このとき、通話路形成回路２０７は、子機側親機Ｉ／Ｆ２０９と親機マイク２０１及び親機スピーカ２０２との間の通話路を遮断しているため、前述の第２の応答操作による通話時と同様、来訪者の音声（送話音声）である音声信号が親機スピーカ２０２から親機マイク２０１に音声帰還されるようなハウリングの発生を防止できる。
【００３４】
また、図１（ｂ）に示す居室親機２において、居住者による第３の応答操作を検出したＣＰＵ２０８は、モニタ２００及び映像処理回路２０６がそれぞれ能動となる制御を保持することにより、第３の応答操作を行った居住者にとっては、映像出画機能が備えられていない電話機３を使用して通話を成立させる場合であっても、モニタ２００に出画されている映像を確認しながら来訪者との通話を成立させることができ、利便性が高められる。
【００３５】
なお、本発明のインターホンシステムにおいては、その実施例として、親機／電話機ラインＬ2を経由して居室親機２に接続される電話機３のように、居室親機２との間の接続が有線である電話機３を適用したが、この態様に限定されるものではない。例えば、居室親機２との間の接続が無線であるコードレス電話機を適用することもできる。これにより、居住者は、コードレス電話機を携帯したままの状態で居室親機２のモニタ２００の前まで移動することができるため、利便性がさらに高められる。
【００３６】
本発明のインターホンシステムにおいては、特定の実施の形態をもって説明してきたが、この形態に限定されるものでなく、本発明の効果を奏する限り、これまで知られた如何なる構成のインターホンシステムであっても採用できるということはいうまでもないことである。
【図面の簡単な説明】
【００３７】
【図１】図１（ａ）は、本発明の実施例によるインターホンシステムの全体（外観）構成を示すシステム説明図である。また、図１（ｂ）は、本発明の実施例によるインターホンシステムにおいて、居室親機の具体的な構成を示すブロック図である。
【符号の説明】
【００３８】
１……玄関子機
１０１……カメラ（映像撮像部）
１０２……子機マイク（子機通話部）
１０３……子機スピーカ（子機通話部）
２……居室親機
２００……モニタ（映像出画部）
２０１……親機マイク（親機通話部）
２０２……親機スピーカ（親機通話部）
２０５……電話機応答検出回路
２０７……通話路形成回路
２０８……ＣＰＵ
３……電話機
３００……電話機マイク（電話機通話部）
３０１……電話機スピーカ（電話機通話部）
３０２……ハンドセット（電話機通話部）
【図１】
2009081795.tif 000003